(57)【要約】  少なくとも１つのオーバーサイズの脚取付け穴を備える二脚ランプ用のランプベースが提供される。オーバーサイズの取付け穴は温度による膨張及び収縮時にランプの脚の相対的な動きを許容する。１つの実施形態において、ランプの一方の脚のみがランプベースに接着される。他方の脚には接着剤が使用されないので、基本的に接着されない側の脚はランプベースに対して相対的に自由に動くことができる。オーバーサイズの脚取付け穴を１つだけ含む実施形態においては、オーバーサイズの脚取付け穴内部に配置される脚がオーバーサイズの穴内部で自由に動けるようにこの脚は接着されない。両方の脚取付け穴がオーバーサイズである実施形態においては、どちらかまたは両方の足を接着しないことが可能である。【特許請求の範囲】
【請求項１】
各々が直径を有する２本の脚を有するランプと、
前記脚を接続するブリッジと、
２つの脚取付け穴を形成するランプベースと、
を備え、
前記ランプの脚の各々が前記脚取付け穴の１つの中まで伸び、前記脚取付け穴のうち一方がオーバーサイズであり、前記オーバーサイズの取付け穴の中へ伸びる一方の前記ランプの脚が前記オーバーサイズの取付け穴内部で動くのを許容するランプ組立品であって、
前記オーバーサイズの取付け穴の中へ伸びる一方の前記ランプの脚は、前記ランプベースに固定されておらず、一方の前記ランプの脚は前記オーバーサイズの取付け穴の中で自由に動き、他方の前記ランプの脚は前記ランプベースに固定されており、
前記オーバーサイズの取付け穴は、おおむね長円形であり、前記オーバーサイズの取付け穴の中へ伸びる一方の前記ランプの脚が他方の前記ランプの脚から離れる動きを許容する方向に細長く伸びていることを特徴とする、ランプ組立品。
【請求項２】
前記オーバーサイズの脚取付け穴は、前記オーバーサイズの脚取付け穴において前記脚の前記一方が前記ブリッジの長手方向に対して平行の方向にのみ動くことを許容する形状となっていることを特徴とする、請求項１に記載のランプ組立品。
【請求項３】
前記オーバーサイズの脚取付け穴の中まで伸びる前記脚が前記ランプベースに接着されず、他方の脚が前記ランプベースに接着されることを特徴とする、請求項１に記載のランプ組立品。
【請求項４】
前記ランプベースが上壁及び前記上壁から下向きに伸びる側壁を含み、前記上壁と前記側壁が協働して内部空間を形成し、前記脚取り付け穴が前記上壁に形成されることを特徴とする、請求項３に記載のランプ組立品。
【請求項５】
前記ランプベースが前記内部空間内部に配置される仕切り壁を含み、該仕切り壁が前記２つの脚取付け穴の間に配置されて、前記脚の各々を取り囲む空間の間を分離することを特徴とする、請求項４に記載のランプ組立品。
【請求項６】
前記オーバーサイズの脚取付け穴がおおむね楕円形であり、前記他方の脚に対して直角を成す方向のみの動きを許容する方向に細長くなることを特徴とする、請求項５に記載のランプ組立品。
【請求項７】
第一及び第二の脚及びブリッジを有するランプであって、前記脚が一般に第一の方向に平行に伸び、前記ブリッジが前記脚の間に伸びて前記脚を接続する、ランプと、
上壁及び前記上壁から伸びる側壁を有するランプベースであって、前記上壁が第一及び第二の脚取付け穴を形成し、前記第一のランプの脚が前記第一の脚取付け穴を貫通して伸び、前記第二のランプの脚が前記第二の脚取付け穴を貫通して伸び、前記第二の脚が前記ランプベースに固定され、前記第一の脚取付け穴が前記第一のランプの脚に比べてオーバーサイズであり、前記第一の脚が前記ランプベースに固定されず、前記第一のランプの脚の前記第一の脚取付け穴内部における動きを許容する、ランプベースと、
を備えるランプ組立品であって、
前記第一の脚取付け穴がおおむね長円形であり、前記第一の脚が前記第二の脚から離れる動きを許容する方向に細長くなることを特徴する、ランプ組立品。
【請求項８】
前記側壁が前記上壁から下向きに伸び、かつ前記ランプベースが前記上壁から下向きに伸びる仕切り壁を含むことを特徴とする、請求項７に記載のランプ組立品。
【請求項９】
前記第二の脚が前記ランプベースに接着され、接着剤が前記第一の脚に接触するのを前記仕切り壁が防止することを特徴とする、請求項８に記載のランプ組立品。
【請求項１０】
前記上壁の反対側で前記側壁に取り付けられるエンドキャップを含み、該エンドキャップが前記ランプを電源に接続するための電気コネクタを含むことを特徴とする、請求項９に記載のランプ組立品。
【請求項１１】
前記第一の脚取付け穴が楕円形であることを特徴とする、請求項１０に記載のランプ組立品。
【請求項１２】
２本の脚及び前記脚を接続するブリッジを有するランプであって、前記脚が各々直径及び端部を有し、電気接点が前記端部から伸びる、ランプと、
上壁及び前記上壁から伸びる側壁を含むランプベースであって、前記上壁及び前記側壁が協働して内部空間を形成し、前記上壁が少なくとも１つの穴を形成し、前記脚のうち少なくとも一方が前記穴を貫通して前記内部空間の中まで伸び、前記少なくとも１つの穴が長円形でありかつ前記少なくとも一方の脚の他方の脚に対する相対的な動きを許容する方向に前記少なくとも一方の脚の前記直径より実質的に大きく、前記少なくとも一方の脚が前記ランプベースに固定されず、前記少なくとも一方の脚が前記他方の脚から離れる方向に動けるようにし、前記他方の脚が前記ランプベースに固定される、ランプベースと、
を備えるランプ組立品。
【請求項１３】
前記上壁が２つの穴を形成し、前記脚の各々が前記穴の一方を貫通して伸びることを特徴とする、請求項１２に記載のランプ組立品。
【請求項１４】
前記脚の一方が前記穴内で接着され、前記他方の脚が接着されず、該脚が前記穴内部で動けるようにすることを特徴とする、請求項１３に記載のランプ組立品。
【請求項１５】
前記上壁の反対側で前記側壁に取り付けられるエンドキャップを含み、前記エンドキャップが前記ランプの脚から伸びる前記電気接点に接続される電気接点を含む、請求項１４に記載のランプ組立品。
【請求項１６】
前記内部空間内部に２つの保持カップを含み、各保持カップが前記ランプの脚の端部の一方を受け入れ、前記保持カップが合わせられても前記内部空間より小さく、前記ランプの脚の相互に対して相対的な動きを許容する、請求項１５に記載のランプ組立品。
【発明の詳細な説明】
【技術分野】
【０００１】
本発明はランプ組立品に使用するためのランプベースに関する。特に二脚を有するランプに使用するためのランプベースに関する。
【背景技術】
【０００２】
ＵＶランプ及び蛍光ランプの両方を含めて二脚構造の多様なガス放電ランプ組立品が入手可能である。二脚構造は比較的コンパクトなので、従来の単管ランプ組立品に比べて多数の利点をもたらす。従来の二脚ランプは、ブリッジによって相互接続される１対の並列する脚を含む。ブリッジは基本的に２本の脚を接合しその間を内部流通させる小さい中空管である。電極は各脚の端部に取り付けられる。中空ブリッジは一方の電極から他方の電極へ電気が流れるようにし、ランプを機能させるために必要な電気回路を完成する。脚及びブリッジは一般にガラス、クオーツまたはその他の適切な透明材料から一体的に形成される。多くの用途において、電極を含むランプの端部はランプベースに取り付けられる。ランプベースはランプを支持し、ランプ組立品を電源に接続するための電気プラグとなる。一般に、強く耐久性のある組立品を作るためにランプの２本の脚はベースに接着される。例えば、先行技術の１つの組立品２００が図１〜２に示されている。図示される先行技術のランプ組立品２００は、一般にランプ２０２、ランプベース２０４及びエンドキャップ２０６（図１）を含む。ランプ２０２はブリッジ２１１によって接合される２本の脚２０８、２１０を含む。各脚２０８、２１０の電極端はランプベース２０４の内部に受け入れられる。ランプベース２０４は１対の取付け穴２１４及び２１６を形成し、この１対の穴はそれぞれ脚２０８及び２１０をぴったりと受け入れるように設計される（図２Ａ〜２Ｄ）。図示される組立品において、脚２０８及び２１０は主に円形の断面を持つ。同様に、取付け穴２１４及び２１６も主に円形の断面を持ち、各々対応する脚２０８及び２１０の外径よりわずかに大きい直径を有する。図２は、エンドキャップ２０６が取り除かれた状態の先行技術のランプ組立品２００を示している。図２Ｄから分かるように、１つの実施形態において、両方の脚２０８及び２１０は、脚２０８及び２１０をベースに固定する接着剤２１８によって取り囲まれる。接着剤、及び取付け穴２１４及び２１６と脚２０８及び２１０との間の密着した嵌合い関係は、基本的に脚２０８および２１０の間の相対的な動きを妨げる。
【発明の概要】
【発明が解決しようとする課題】
【０００３】
二脚ランプは非常に信頼できるが、ブリッジの破損、亀裂またはその他の損傷の結果作動時に故障することが経験から明らかになった。従って、この問題に対処するランプ組立品が望まれる。
【課題を解決するための手段】
【０００４】
上記の問題は本発明によって解決される。本発明において、二脚ランプ用のランプベースは少なくとも１つのオーバーサイズの脚取付け穴を備える。取付け穴は温度による膨張及び収縮時のランプ脚の相対的な動きを許容する。オーバーサイズの脚取付け穴は、その中に収められる脚がブリッジの長手方向に対して平行の方向に動くための隙間を与える。使用時に、オーバーサイズの穴はランプが加熱・冷却されるときに生じるランプの拡張及び収縮時にランプの２本の脚間の相対的な動きを許容する。
【０００５】
１つの実施形態において、ランプの脚は基本的に円形の断面を持ち、ランプベースはブリッジの長手方向に対して平行の方向に細長い長円形の脚取付け穴を形成する。要望があれば、両方の脚取付け穴を長円形にすることができる。穴をどの程度長円形にするかは、脚がランプの熱関係の膨張及び収縮によって阻害されることなく動くための十分な隙間を与えるように選択される。
【０００６】
１つの実施形態において、ランプの一方の脚のみがランプベースに接着される。片方の脚が接着されないことは、接着されない方の脚のベースに対して相対的な自由な動きを基本的に許容する。オーバーサイズの脚取付け穴を１つしか含まない実施形態において、オーバーサイズの穴内部で脚が自由に動けるように、オーバーサイズの脚取付け穴内部に配置される脚は接着されない。両方の脚取付け穴がオーバーサイズである実施形態においては、脚のいずれか（または両方）を接着しないことが可能である。
【０００７】
１つの実施形態において、ランプベースは、接着剤をベースの片側に保持するために２つの脚取付け穴の間に配置される仕切りを含む。使用時に、仕切りはランプの一方の脚に塗布される接着剤が反対側の脚に流れるのを防止し、それによって、ランプの少なくとも一方の脚がベースに対して相対的に自由に動けるようにすることができる。
【０００８】
本発明は二脚ランプ組立品のブリッジを損傷する危険を大幅に減少する単純で効果的なランプベースを提供する。脚取付け穴をオーバーサイズにすることによって、ベースはランプの熱膨張及び収縮時に脚が動くことを妨げない。さらに、一方の脚に接着剤が使用されないので、脚が自由に動くことができる。少なくとも一方の脚が熱膨張及び収縮に合わせて動くことができることによって、ランプの両方の脚を固定位置に保持する従来のランプベースの場合に生じたようなブリッジに対する望ましくない応力及びその他の力が減少する。
【０００９】
以上の及びその他の本発明の目的、利点及び特徴は次の実施形態の詳細な説明及び図面を参照することによって容易に理解できるだろう。
【図面の簡単な説明】
【００１０】
【図１Ａ】先行技術の二脚ランプ組立品の正面図である。
【図１Ｂ】先行技術の二脚ランプ組立品の右側面図である。
【図１Ｃ】先行技術の二脚ランプ組立品の上面図である。
【図２Ａ】先行技術のランプベースの上からの斜視図である。
【図２Ｂ】先行技術のランプベースの上面図である。
【図２Ｃ】先行技術のランプベースの底面図である。
【図２Ｄ】ランプベースに接着されたランプを示すためにエンドキャップが取り除かれた上体の先行技術の二脚ランプ組立品の底面図である。
【図３Ａ】本発明の１つの実施形態によるランプベースの上からの斜視図である。
【図３Ｂ】同じ実施形態のランプベースの上面図であり、移動位置にあるランプの脚の一方を点線で示す。
【図３Ｃ】同じ実施形態のランプベースの底面図である。
【図４】二脚ランプの正面図である。
【図５】二脚ランプ組立品及びエンドキャップの下からの斜視図である。
【図６】エンドキャップが取り除かれた状態の二脚ランプ組立品の下からの斜視図である。
【図７】同じ実施形態によるランプ組立品の底面図である。
【図８】第二の実施形態によるランプベースの上からの斜視図である。
【図９】第二の実施形態によるランプベースの上面図である。
【図１０】第二の実施形態によるランプベースの底面図である。
【図１１】第二の実施形態によるランプベース及び二脚ランプの正面からの部分斜視図である。
【図１２】第三の実施形態によるランプ組立品の底面図である。
【図１３】第三の実施形態によるランプ組立品の断面図である。
【発明を実施するための形態】
【００１１】
本発明の１つの実施形態によるランプ組立品が図５に示されており、全体が１０で示される。ランプ組立品１０は、一般に二脚ランプ１２、ランプベース１４及びエンドキャップ１６を含む。二脚ランプは２本の脚１８及び２０を含み、両方の脚はランプベース１４内部に取り付けられる。ランプベース１４は１対のオーバーサイズの穴２２及び２４を形成し、穴はランプ１２の脚１８及び２０を受け入れる。図示される実施形態において、一方の脚１８のみがランプベースに接着される。穴２２及び２２がオーバーサイズであること及び一方の脚２０に接着剤がないことによって、ランプが熱膨張及び収縮できるようにする。従来の二脚ランプ組立品に関連して説明するが、本発明は複数の脚及びブリッジを有する基本的にどのようなランプに使用するのにも適する。
【００１２】
本発明は、ランプ組立品１０（主に従来のランプ組立品）に関連して説明される。上述のように、ランプ組立品１０は一般にランプ１２、ランプベース１４及びエンドキャップ１６を含む。ランプ１２は一般に従来の二脚ＵＶランプである。従って、ランプ１２については詳細に説明しない。ランプ１２はブリッジ２６によって相互に接続される２本の脚１８及び２０を含むと述べるだけで十分である。１つの実施形態において、ランプの脚１８と２０はほぼ平行であり、ブリッジはその間にほぼ直角に伸びる。ブリッジ２６は中空であり、それによって脚１８の内部と脚２０の内部との間の流通を可能にする。ランプ１２はさらに１対の電極２８、３０を含み、各脚１８及び２０内部に１つずつ取り付けられる。リード線３２ａ〜ｂ及び３４ａ〜ｂは電極２８〜３０からランプ１２の外部へ伸びる。下でもっと詳細に説明するようにリード線３２ａ〜ｂ及び３２ａ〜ｂはエンドキャップ１６に接続される。
【００１３】
上述のように、ランプ１２はランプベース１４に取り付けられる。ランプベース１４は一般にランプレセプタクル（図示せず）内部に嵌るように設計され、要望があれば、ランプベース１４とランプレセプタクルの整列、嵌め合い及び（または）インターロックを支援するために取付けタブおよび（または）その他の構造を含むことができる。従って、予定されるランプレセプタクルに合わせるために用途によってランプベースの設計および構造を変えることができる。図３Ａ〜Ｃから分かるように、ランプベース１４は、一般に上壁３６及び上壁３６の周縁から下向きに伸びる側壁３８を含む。上壁３６及び側壁３８は協働して、ランプ１２の脚の端部を受け入れるのに十分なサイズの内部空間４０を形成する。ランプベース１４に関連して使用される方向を表す用語、「上」、「下向き」などは図３Ａに示されるランプベースの向きに基づく。これらの用語は便宜上使用されるのであって、本発明を特定の方向に限定するためのものではない。図示される実施形態のランプベース１４は仕切り壁４２も含む。仕切り壁は各脚１８及び２０を取り囲む空間の間をある程度分離するために内部空間４０内に配置される。仕切り壁４２は一方の脚に塗布された接着剤が他方の脚に流れるのを防止するセパレータとなる（図７）。これによって、脚１８及び２０の一方のみに接着剤を塗布しやすくなる。脚取付け穴２２及び２４は上壁３６に形成される。図６及び７から分かるように、ランプ１２の脚１８及び２０は取付け穴２２の中に嵌め込まれる。図３Ａ〜Ｃを参照すると、脚取付け穴２２及び２４は図３Ｂにおいて矢印Ａによって示される方向にオーバーサイズになっている。これによって対応する穴２２及び２４内部における少なくとも一方の脚１８及び２０の動きを可能にする。基本的に所望の脚１８及び２０の動きを許容するどのような方法ででも取付け穴をオーバーサイズにすることができるが、図示される実施形態の取付け穴２２及び２４は全体に楕円形であり、図３Ｂの矢印Ａで示される方向に長くなっている。細長い取付け穴２２及び２４はおおむね円形の脚１８及び２０が取付け穴２２及び２４内部で動けるようにする。図３Ｂは、第一の位置にある取り付け穴２２の中の脚１８を実線で、第二の位置を点線で示している。図３Ｂに示される位置の変化は取付け穴２２及び２４内部における脚１８及び２０の運動の範囲を表す。図８〜１１は図３Ａ〜Ｃに示されるものとは多少異なる取付け穴の形状を示す。図示されるように、図８〜１１の取り付け穴２２及び２４は図３Ａ〜Ｃの形状よりもっと不規則な形状を持つ。どちらの場合も、取付け穴２２及び２４は矢印Ａで示される方向にオーバーサイズであり（例えば、対応するランプの脚１８及び２０より大きい）、ランプ１２が熱膨張及び収縮するとき脚１８及び２０が動くために十分な隙間を与える。図示される実施形態のランプベース１４は２つのオーバーサイズの取り付け穴２２及び２４を形成するが、一部の応用においては、取付け穴の一方しか細長くするまたはその他の方法でオーバーサイズにする必要がない。
【００１４】
脚１８及び２０をランプベース１２に固定することができる。図示される実施形態において、脚１８のみがランプベース１２に固定される（図７）。これによって、脚２０はランプが熱膨張及び収縮するとき取付け穴２２内部で自由に動ける。図７に示されるように、ランプの脚１８は接着剤４８によってランプベース１４に固定される。接着剤４８は脚１８を取り囲んで脚１８とランプベース１４を相互接続する。仕切り壁４２は接着剤４８をランプベース１４の片側に保持して、脚２０が接着されずに取付け穴２２内部で自由に動けるようにする。
【００１５】
エンドキャップ１６はランプベース１４の開放端に嵌め込まれる（図５）。要望に応じてエンドキャップ１６をランプベース１４に接着、溶接またはその他の方法で固定することができる。図示される実施形態において、エンドキャップ１６は、エンドキャップを貫通しこれから突き出る２対の電気ピン（electrical prong）４４ａ〜ｂ及び４６ａ〜ｂを含む。電気ピンはランプ１２を電源に電気的に接続するためのコネクタとなる。例えば、図示される実施形態の電気ピン４４ａ〜ｂ及び４６ａ〜ｂはランプレセプタクル（図示せず）の対応するソケット（図示せず）の中に嵌るように設計される。要望があれば、互換性を図るために基本的な標準仕様と一致するようにピン４４ａ〜ｂ及び４６ａ〜ｂのサイズ、形状及び配列を選択することができる。ランプ１２のリード線３２ａ〜ｂ及び３４ａ〜ｂは、例えばクリンプ加工（crimping）、はんだ付けまたはその他の従来の技法によってピン４４ａ〜ｂ及び４６ａ〜ｂに電気的に接続される。ランプベース１４と同様、エンドキャップ１６は一般にランプレセプタクル（図示せず）内部に嵌るように設計され、要望があれば、ランプベース１４とランプレセプタクルの整列、嵌め合い及び（または）インターロックを支援するために取り付けタブ及び（または）その他の構造を含むことができる。従って、予定されるランプレセプタクルに合わせるために用途によってエンドキャップの設計及び構造を変えることができる。
【００１６】
多様な方法でランプ組立品１０を組み立てることができる。しかし、開示を目的として１つの組み立て方法についてのみ説明する。１つの実施形態において、ランプ組立品１０は事前製造の二脚ランプを入手して組み立てられる。二脚ランプは多様な製造者から多様な型式で入手できる。プラスチックまたはその他の適切な材料からランプベース１４及びエンドキャップ１６を製造することができる。例えば、特定の用途に関連する温度限界に耐えることができるプラスチック材からランプベース１４及びエンドキャップ１６を射出成型することができる。電気ピン４４ａ〜ｂ及び４６ａ〜ｂはエンドキャップ１６の開口に嵌め込まれる。摩擦嵌めによってまたは締結具または接着剤など他の技法によってピン４４ａ〜ｂ及び４６ａ〜ｂを保持することができる。
【００１７】
ランプ１２はランプベース１４に挿入される。より詳細に述べると、各脚１８及び２０の電極端が脚取付け穴２２及び２４に適切な深さまで挿入される。ランプ１２とランプベース１４を相互に固定するために、ランプベース１４及び脚１８に接着剤４８が塗布される。上壁３６、側壁３８及び仕切り壁４２が協働して脚１８を取り囲む「カップ」を形成するようにランプベース１４を逆さにすることによって接着剤４８を塗布することができる。接着剤４８は脚１８を取り囲むカップに注入またはその他の方法で供給される。硬化したら、接着剤４８は所望の接着をもたらす。ランプ１２をランプベース１４に固定するために多様な接着剤を使用することができる。例えば、接着剤４８をエポキシ及び高温シリコン接着剤とすることができる。
【００１８】
エンドキャップ１６はランプベース１４の底部に固定される。これによって内部空間４０は閉鎖され、ランプ組立品１０に所望の電気ピン４４ａ〜ｂ及び４６ａ〜ｂが与えられる。上述のように、ランプ１２のリード線３２ａ〜ｂ及び３４ａ〜ｂは、例えばはんだ付けまたはその他の従来の技法によってピン４４ａ〜ｂ及び４６ａ〜ｂに電気的に接続される。接着、音波溶接またはその他の方法によってエンドキャップ１６をランプベース１４と相互接続することができる。一部の用途において、ランプ１２をランプベース１４に接着する前にリード線３２ａ〜ｂ及び３４ａ〜ｂとピン４４ａ〜ｂ及び４６ａ〜ｂとの間を電気的に接続することが望ましい場合がある。脚１８及び２０をランプベース１４に着座させると、ランプベース１４が形成する輪郭は必要な電気接続をより困難にする可能性がある。接着剤４８が塗布される前に接続が行われる場合には、ランプベース１４内部からランプ端部を押し出しながら接続を行うことができるので、工程が容易になる。
【００１９】
図示される実施形態において、ランプ１２は脚１８の周りに塗布される接着剤４８を用いてランプベース１４に固定される。他の接続メカニズムを用いてランプ１２をランプベース１４に固定することができる。例えば、保持クランプ（図示せず）を用いてランプ１２をランプベース１４に固定することができる。このような実施形態においては、例えば締結具によってクランプをランプベース１４に接続するか、またはエンドキャップ１６が設置されたらランプベース１４から引き出すことができないようにクランプを取付け穴２２及び２４より大きくすることができる。
【００２０】
図１２及び１３は別のランプベース１４’を示している。この実施形態においては、保持カップ５０’及び５２’によってランプ１２’の脚１８’及び２０’をランプベース１４’内部に保持することができる。保持カップ５０’及び５２’は、少なくともその一方がランプベース１４’の内部空間４０’内部において「浮遊（float）」して、熱膨張及び収縮時の脚１８’及び２０’の相対的な動きを許容にするようなサイズ及び形状を持つ。保持カップ５０’及び５２’は、熱膨張及び収縮時の動きを許容にするように少なくともブリッジの長手方向に対して平行の方向に動くことができると言う意味でランプベース１４’内部において浮遊する。要望があれば、保持カップ５０’及び５２’の一方のみがランプベース１４’内部で浮遊するようにこの実施形態を変更することができる。この実施形態の保持カップ５０’及び５２’は脚１８’及び２０’の端部に被せて嵌められて、接着剤４８’を用いて固定される。要望があれば、他の技法を用いてカップを固定することができる。例えば、一部の用途においては、保持カップ５０’及び５２’を脚１８’及び２０’に摩擦嵌めすることが可能かも知れない。図１２及び１３の実施形態においては、ランプベース１４’は上に説明するように２つの別個の取付け穴２２及び２４を形成するか、２つの別個の穴２２及び２４を脚１８’及び２０’の両方を受け入れるのに十分なサイズを持つ単一のもっと大きい穴２２’に替えて、熱膨張及び収縮時に脚１８’及び２０’が相互に相対的に動けるようにすることができる。この実施形態は２つの別個の保持カップ５０’及び５２’を図示するが、本発明は、一部の用途において保持カップを１つだけ含むことができる（図示せず）。保持カップを１つだけ含む実施形態においては、上述のようにランプベース内部で浮遊するように保持カップを設計することができる。ただし、単一の保持カップに接続されない脚がランプベース内部で動くことができる場合、保持カップをランプベースに対して固定位置にすることができる。
【００２１】
以上の説明は本発明の現在の実施形態の説明である。特許請求の範囲において定義される本発明の思想及び広義の形態から逸脱することなくさまざまな改変及び変更を加えることができ、これらは均等物の原則を含む特許の原則に従って解釈される。請求の範囲に記載のある要素を単数で表す場合、これは要素を単数に限定するものとして解釈されないものとする。
【図１Ａ】
2010516039.tif 000002
【図１Ｂ】
2010516039.tif 000003
【図１Ｃ】
2010516039.tif 000004
【図２Ａ】
2010516039.tif 000005
【図２Ｂ】
2010516039.tif 000006
【図２Ｃ】
2010516039.tif 000007
【図２Ｄ】
2010516039.tif 000008
【図３Ａ】
2010516039.tif 000009
【図３Ｂ】
2010516039.tif 000010
【図３Ｃ】
2010516039.tif 000011
【図４】
2010516039.tif 000012
【図５】
2010516039.tif 000013
【図６】
2010516039.tif 000014
【図７】
2010516039.tif 000015
【図８】
2010516039.tif 000016
【図９】
2010516039.tif 000017
【図１０】
2010516039.tif 000018
【図１１】
2010516039.tif 000019
【図１２】
2010516039.tif 000020
【図１３】
2010516039.tif 000021
【国際調査報告】
2010516039.tif 000022
2010516039.tif 000023
2010516039.tif 000024